【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
少なくとも、心材と心材の両面側に位置するスキン材とで構成される防音部を有する防音壁用パネルであって、前記スキン材が、繊維強化プラスチックからなり、かつ、防音部の全厚さと各スキン材の厚さの比が、５：１〜５０：１の範囲内にあり、かつ、防音部の下部に、建築物躯体への取付部が設けられていることを特徴とする防音壁用パネル。
【請求項２】
防音部の両側に、該防音部を支える柱体が設けられていることを特徴とする、請求項１に記載の防音壁用パネル。
【請求項３】
心材の両面側に位置するスキン材同士を接続するリブが設けられていることを特徴とする、請求項１または２に記載の防音壁用パネル。
【請求項４】
少なくとも、防音部はその心材とスキン材とが一体的に成形されていることを特徴とする、請求項１〜３のいずれかに記載の防音壁用パネル。
【請求項５】
前記防音部と柱体とが一体的に成形されていることを特徴とする、請求項２〜４のいずれかに記載の防音壁用パネル。
【請求項６】
防音部と取付部とが一体的に成形されていることを特徴とする、請求項１〜５のいずれかに記載の防音壁用パネル。
【請求項７】
防音部の背面に、８〜３０ｋｇ／ｍ２の範囲内の重量のパネルが固定されていることを特徴とする、請求項１〜６のいずれかに記載の防音壁用パネル。
【請求項８】
防音部の下部に、建築物躯体の表面を覆うカバーが着脱可能に取り付けられていることを特徴とする、請求項１〜７のいずれかに記載の防音壁用パネル。
【請求項９】
防音部の背面に、信号用等の電気ケーブルを敷設するためのトラフが一体的に固定されていることを特徴とする、請求項１〜８のいずれかに記載の防音壁用パネル。
【請求項１０】
防音部の背面に、標識やキロポスト、勾配標等を取り付けることのできる把持部が一体的に固定されていることを特徴とする、請求項１〜９のいずれかに記載の防音壁用パネル。
【請求項１１】
スキン材が、炭素繊維強化プラスチックからなる層をスキン材に対する厚さ比で少なくとも５％以上含むことを特徴とする、請求項１〜１０のいずれかに記載の防音壁用パネル。
【請求項１２】
防音部の表面がレンガ積み模様等の有色ゲルコート層で被覆されていることを特徴とする、請求項１〜１１のいずれかに記載の防音壁用パネル。
【請求項１３】
防音部の外表面に、顔料、染料、トナー、インクのうちのいずれかで着色されたプラスチックが設けられていることを特徴とする、請求項１〜１２のいずれかに記載の防音壁用パネル。
【請求項１４】
カバーが繊維強化プラスチックで成形されており、かつ、カバーの外側表面が、レンガ積み模様等の有色ゲルコート層で被覆されていることを特徴とする、請求項８〜１３のいずれかに記載の防音壁用パネル。
【請求項１５】
トラフが繊維強化プラスチックで成形されていることを特徴とする、請求項９〜１４のいずれかに記載の防音壁用パネル。
【請求項１６】
把持部が繊維強化プラスチックで成形されていることを特徴とする、請求項１０〜１５のいずれかに記載の防音壁用パネル。
【請求項１７】
スキン材の強化繊維が、ガラス繊維、炭素繊維、アラミド繊維の少なくとも一つからなる、請求項１〜１６のいずれかに記載の防音壁用パネル。
【請求項１８】
スキン材のマトリクス樹脂が、エポキシ樹脂、不飽和ポリエステル樹脂、ビニルエステル樹脂、フェノール樹脂のいずれかからなる、請求項１〜１７のいずれかに記載の防音壁用パネル。
【請求項１９】
スキン材の繊維強化プラスチックに占める強化繊維の体積含有率が１５〜６０％の範囲内にある、請求項１〜１８のいずれかに記載の防音壁用パネル。
【請求項２０】
心材と心材の両側面に位置する繊維強化プラスチック製スキン材とで構成される防音部と、前記防音部を支える柱体を有し、かつ、防音部の全厚さと各スキン材の厚さの比が、５：１〜５０：１の範囲内にある防音壁用パネルにおいて、前記柱体が金属からなり、かつ柱体の下部に、建築物躯体への取付部が設けられていることを特徴とする防音壁用パネル。
【請求項２１】
前記柱体の少なくとも一部分が防音部に埋設されることにより、防音部と柱体が接合されていることを特徴とする、請求項２０に記載の防音壁用パネル。
【請求項２２】
前記防音部と柱体とが一体的に成形されていることを特徴とする、請求項２０または２１に記載の防音壁用パネル。
【請求項２３】
前記繊維強化プラスチック製スキン材が、柱体の延在方向に対して６０°以上の傾きを持つ方向に延びる連続強化繊維を含むことを特徴とする、請求項２０〜２２のいずれかに記載の防音壁用パネル。
【請求項２４】
前記防音部の内部に、心材の両面側に位置するスキン材を接続するリブが設けられており、かつ、該リブの少なくとも一部が、柱体の延在方向に対して６０°以上の傾きを持って延設されていることを特徴とする、請求項２０〜２３のいずれかに記載の防音壁用パネル。
【請求項２５】
前記柱体および取付部を除く、防音部の単位面積あたりの重量が、１０〜６０ｋｇ／ｍ２の範囲内にあることを特徴とする、請求項２０〜２４のいずれかに記載の防音壁用パネル。
【請求項２６】
前記スキン材を形成する繊維強化プラスチックが、マトリクス樹脂として高難燃性の樹脂を用いたものであることを特徴とする、請求項２０〜２５のいずれかに記載の防音壁用パネル。
【請求項２７】
前記防音部の少なくとも一部が湾曲部に形成されている、請求項１〜２６のいずれかに記載の防音壁用パネル。
【請求項２８】
前記防音部の頂部に内側に向けて延びる折り返し部が設けられており、該折り返し部が防音部と一体に成形されている、請求項１〜２７のいずれかに記載の防音壁用パネル。
【請求項２９】
隣接するパネル同士が部分的に重なり合うように、側端部に重ね合わせ部が設けられている、請求項１〜２８のいずれかに記載の防音壁用パネル。
【請求項３０】
隣接するパネルの重ね合わせ部間に充填材が設けられている、請求項２９に記載の防音壁用パネル。
【請求項３１】
請求項１〜２９のいずれかに記載の防音壁用パネルに設けられた取付用穴を、あらかじめ建築物躯体に設置されたアンカーボルトに通し、さらにナットを用いて防音壁用パネルを建築物躯体に固定することを特徴とする、防音壁用パネルの取付方法。
【請求項３２】
取付用アンカーボルトが、建築物躯体のコンクリート打ち込み時に既に埋設されていることを特徴とする、請求項３１に記載の防音壁用パネルの取付方法。
【請求項３３】
取付用アンカーボルトが、建築物躯体の施工終了後に、穿孔することにより打ち込まれたケミカルアンカーであることを特徴とする、請求項３１に記載の防音壁用パネルの取付方法。
【請求項３４】
取付用アンカーボルトが、建築物躯体に対して少なくとも８０ｍｍ以上の深さまで打ち込まれたＭ１６以上の径のボルトであることを特徴とする、請求項３１〜３３のいずれかに記載の防音壁用パネルの取付方法。
【手続補正２】
【補正対象書類名】明細書
【補正対象項目名】０００６
【補正方法】変更
【補正の内容】
【０００６】
【課題を解決するための手段】
上記課題を解決するために、本発明の防音壁用パネルは、少なくとも、心材と心材の両面側に位置するスキン材とで構成される防音部を有する防音壁用パネルであって、前記スキン材が、繊維強化プラスチックからなり、かつ、防音部の全厚さと各スキン材の厚さの比が、５：１〜５０：１の範囲内にあり、かつ、防音部の下部に、建築物躯体への取付部が設けられていることを特徴とするものからなる。